(57)【要約】【課題】監視カメラ装置の映像信号を入力し記録する記録装置を使用することなく、アラーム発生前の映像をモニタ画面上で表示することを可能とし、かつ、アラーム発生時、瞬時にアラーム発生前の状況確認を容易にする。【解決手段】ネットワーク映像監視システムは、ライブ映像と、ライブ映像から過去に所定時間分だけ遡ったディレイ映像を生成する監視カメラ装置１１と、監視カメラ装置１１からＩＰネットワーク１０を経由して配信されるライブ映像もしくはディレイ映像を受信し、表示するビューワ装置１２と、ＩＰネットワーク１０を経由して監視カメラ装置１１もしくはビューワ装置１２に対し、アラーム入力を契機に、ライブ映像もしくはディレイ映像を切替える制御信号を送信するセンサー装置１４とで構成される。【選択図】図１
2007194937.tif 000002
【特許請求の範囲】
【請求項１】
ライブ映像と、前記ライブ映像から過去に所定時間分だけ遡ったディレイ映像を生成する監視カメラ装置と、
前記監視カメラ装置からＩＰネットワークを経由して配信される前記ライブ映像もしくは前記ディレイ映像を受信してモニタ画面上に表示するビューワ装置と、
前記監視カメラ装置もしくは前記ビューワ装置に対し、アラーム入力を契機に、前記ライブ映像もしくは前記ディレイ映像を切替え、配信もしくは表示するための制御信号を、前記ＩＰネットワークを経由して送信するセンサー装置と、
を備えたことを特徴とするネットワーク映像監視システム。
【請求項２】
前記ビューワ装置は、
前記監視カメラ装置が前記ディレイ映像を配信しているとき、前記ＩＰネットワーク経由で前記ディレイ映像を受信し、前記モニタ画面上に前記ディレイ映像を表示し、前記監視カメラ装置が前記ライブ映像を配信しているとき、前記ＩＰネットワーク経由で前記ライブ映像を受信し、前記モニタ画面上に前記ライブ映像を表示することを特徴とする請求項１記載のネットワーク映像監視システム。
【請求項３】
前記監視カメラ装置は、
前記センサー装置からのアラーム入力に基づき、前記ライブ映像、前記ディレイ映像を切替えて配信することを特徴とする請求項１記載のネットワーク映像監視システム。
【請求項４】
前記ビューワ装置は、
前記センサー装置からのアラーム入力に基づき、前記ライブ映像、前記ディレイ映像を切替えて前記モニタ画面に表示することを特徴とする請求項１記載のネットワーク映像監視システム。
【請求項５】
前記監視カメラ装置は、
前記センサー装置からのアラーム入力を契機に、前記ディレイ映像に切替え、前記ＩＰネットワーク経由で配信し、
前記ビューワ装置は、
前記アラーム入力を契機に前記ディレイ映像の受信に切替え、前記モニタ画面上にそのディレイ映像を表示する、
ことを特徴とする請求項１から請求項４のうちのいずれか１項記載のネットワーク映像監視システム。
【請求項６】
前記ビューワ装置は、
前記ライブ映像と前記ディレイ映像とを同時に受信して前記モニタ画面に表示することを特徴とする請求項１記載のネットワーク映像監視システム。
【請求項７】
ビューワ装置とはＩＰネットワークを経由して接続されるネットワーク映像監視システムにおける監視カメラ装置であって、
ライブ映像を生成するライブ映像生成部と、
前記ライブ映像から過去に所定時間分だけ遡ったディレイ映像を生成するディレイ映像生成部と、
前記ライブ映像もしくは前記ディレイ映像を、前記ＩＰネットワークを介して配信するネットワークインタフェース部と、
を備えたことを特徴とするネットワーク映像監視システムにおける監視カメラ装置。
【請求項８】
前記ライブ映像と前記ディレイ映像とを入力とし、前記ＩＰネットワークに接続される前記センサー装置からのアラーム入力を契機に、前記ライブ映像と前記ディレイ映像とを切替えて出力する映像切替え出力部、
を更に備えたことを特徴とする請求項７記載のネットワーク映像監視システムにおける監視カメラ装置。
【請求項９】
監視カメラ装置とはＩＰネットワークを経由して接続される、ネットワーク映像監視システムにおけるビューワ装置であって、
前記監視カメラ装置によって生成され、前記ＩＰネットワークを経由して配信される、ライブ映像と、前記ライブ映像から過去に所定時間分だけ遡ったディレイ映像とを受信するネットワークインタフェース部と、
前記ライブ映像もしくは前記ディレイ映像をモニタ画面上に個別に、もしくは同時に表示する表示制御部と、
を備えたことを特徴とするネットワーク映像監視システムにおけるビューワ装置。
【請求項１０】
前記ライブ映像と前記ディレイ映像とを入力とし、前記ＩＰネットワークに接続されるセンサー装置からのアラーム入力を契機に、前記ライブ映像と前記ディレイ映像とを切替え、前記表示制御部を制御する映像切替え制御部、
を更に備えたことを特徴とする請求項９記載のネットワーク映像監視システムにおけるビューワ装置。
【発明の詳細な説明】
【技術分野】
【０００１】
本発明は、監視カメラ装置によって撮影される映像を、ＩＰネットワークを用いてビューワ装置に配信する用途に用いて好適な、ネットワーク映像監視システムおよび同システムにおける監視カメラ装置ならびにビューワ装置に関する。
【背景技術】
【０００２】
従来のネットワーク映像監視システムは、監視カメラ装置により撮影されたアナログ映像信号を、同軸ケーブルを用い、監視対象地域、あるいは遠隔地に設置された表示・記録装置に伝送していた。
上記したアナログ映像信号によるネットワーク映像監視システムの場合、表示・記録装置においては、常に映像信号入力がある状態であり、例えば、映像信号を記録装置内でバッファリングしておくことにより効率よくアラーム入力前の映像を記録し、再生表示により、アラーム入力前の映像を確認することを可能にしている（例えば、特許文献１参照）。
【０００３】
また、ネットワークを利用したネットワーク映像監視システムでは、例えば、監視カメラの映像信号を常時入力する映像蓄積サーバを設置し、この映像蓄積サーバで記録した映像をアラーム入力時に送信することでアラーム入力前の映像をモニタ画面上に表示することを可能にしている（例えば、特許文献２参照）。
【０００４】
【特許文献１】特開２００１−３０９２９１号公報（段落「０００８」、図１）
【特許文献２】特開２００４−２６６５９２号公報（段落「００１２」、図１）
【発明の開示】
【発明が解決しようとする課題】
【０００５】
しかしながら上記した特許文献１、特許文献２に開示された技術によれば、アラーム入力前の映像を表示するために次のような不都合を有している。
すなわち、常に監視カメラの映像信号を入力し、あらかじめ映像を記録しておくための記録装置が必要である。したがって、記録装置に映像入力が無かった監視カメラの映像については、アラーム入力前の映像を表示することは出来ない。また、映像を表示するためには、該当監視カメラの映像の検索、再生、送信といった作業が発生するため、アラームが発生した場合、オペレータは、瞬時に何が発生したのかを確認をすることが困難であった。
【０００６】
本発明は上記事情に基づいてなされたものであり、監視カメラの映像信号を入力し記録する記録装置を使用することなく、アラーム発生前の映像をモニタ画面上で表示することを可能とし、かつ、アラーム発生時、瞬時にアラーム発生前の状況を確認することができる、ネットワーク映像監視システムおよび同システムにおける監視カメラ装置ならびにビューワ装置を提供することを課題とする。
【課題を解決するための手段】
【０００７】
この発明に係るネットワーク映像監視システムは、ライブ映像と、前記ライブ映像から過去に所定時間分だけ遡ったディレイ映像を生成する監視カメラ装置と、前記監視カメラ装置からＩＰネットワークを経由して配信される前記ライブ映像もしくは前記ディレイ映像を受信してモニタ画面上に表示するビューワ装置と、前記監視カメラ装置もしくは前記ビューワ装置に対し、アラーム入力を契機に、前記ライブ映像もしくは前記ディレイ映像を切替え、配信もしくは表示するための制御信号を、前記ＩＰネットワークを経由して送信するセンサー装置とを備えたことを特徴とする。
【０００８】
この発明に係る監視カメラ装置は、ビューワ装置とはＩＰネットワークを経由して接続されるネットワーク映像監視システムにおける監視カメラ装置であって、ライブ映像を生成するライブ映像生成部と、前記ライブ映像から過去に所定時間分だけ遡ったディレイ映像を生成するディレイ映像生成部と、前記ライブ映像もしくは前記ディレイ映像を、前記ＩＰネットワークを経由して配信するネットワークインタフェース部とを備えたことを特徴とする。
【０００９】
この発明に係るビューワ装置は、監視カメラ装置とはＩＰネットワークを経由して接続される、ネットワーク映像監視システムにおけるビューワ装置であって、前記監視カメラ装置から前記ＩＰネットワークを介して配信されるライブ映像と、前記ライブ映像から過去に所定時間分だけ遡ったディレイ映像とを受信するネットワークインタフェース部と、前記ライブ映像もしくは前記ディレイ映像をニタ画面上に個別に、もしくは同時に表示する表示制御部とを備えたことを特徴とする。
【発明の効果】
【００１０】
本発明によれば、監視カメラ装置の映像信号を入力し記録する記録装置を使用することなく、アラーム発生前の映像をビューワ装置のモニタ画面上で表示することを可能とし、かつ、オペレータは、アラーム発生時、瞬時にアラーム発生前の状況を確認することができる。
【発明を実施するための最良の形態】
【００１１】
実施の形態１．
図１は、本発明の実施の形態１に係るネットワークネットワーク映像監視システムのシステム構成の一例を示す図である。
【００１２】
図１において、符号１０は、各種ネットワーク対応機器が接続されるＩＰ（Internet Protocol）ネットワークであり、各ネットワーク対応機器は、ＩＰネットワーク対応ケーブルおよびハブ（ＨＵＢ）を介して接続される。
また、符号１１（１１ａ〜１１ｎ）は、ＩＰネットワーク１０に接続されるネットワーク対応機器としての複数の監視カメラ装置であり、それぞれ、撮影された映像をリアルタイムに配信するライブ映像と、ライブ映像から過去に所定時間分だけ遡ったタイムシフト映像であるディレイ映像とを生成し、これらを切替え、もしくは同時にＩＰネットワーク１０に配信する。
【００１３】
符号１２（１２ａ〜１２ｎ）は、ＩＰネットワーク１０経由で配信される映像を受信してモニタ画面に表示する複数のビューワ装置であり、監視カメラ１１から配信されるライブ映像とディレイ映像とを切替えて個別に、あるいは同時に表示する。また、符号１３（１３ａ〜１３ｎ）は、ＩＰネットワーク１０経由で配信される映像を受信し、記録を行なう複数の記録装置である。
また、符号１４は、アラームを発生させるセンサー装置であり、センサー装置１４によって検知され出力されるアラーム信号は、ＩＰネットワーク１０経由で、監視カメラ１１、もしくはビューワ装置１２、記録装置１３に送信することができる。
【００１４】
図２は、図１に示す監視カメラ装置１１の内部構成を示すブロック図である。図２に示されるように、監視カメラ装置１１は、撮像部１１１と、ライブ映像生成部１１２と、ディレイ映像生成部１１３と、映像切替え出力部１１４と、ネットワークインタフェース（Ｉ／Ｆ）部１１５とで構成される。
監視カメラ装置１１は、撮像部１１１で撮影された映像を取り込み、ライブ映像生成部１１２に供給し、ライブ映像生成部１１２でリアルタイムネットワーク配信用のライブ映像を生成する。また、ディレイ映像生成部１１３は、ライブ映像生成部１１２により生成されるライブ映像を取り込み、ライブ映像から過去に所定時間分だけ遡ったタイムシフト映像であるディレイ映像を生成する。
【００１５】
上記したディレイ映像は、例えば、遅延素子によって所定時間だけタイムシフトした映像をＡ／Ｄ（Analog／Digital）変換し、図示せぬフレームメモリに蓄積することによって生成される（遅延素子ならびにフレームメモリともに不図示）。
【００１６】
上記により生成されるライブ映像とディレイ映像は、映像切替え出力部１１４に入力され、この映像切替え出力部１１４により、ライブ映像とディレイ映像のいずれか一方、あるいはこれら映像が同時に出力される。
映像切替え出力部１１４によって出力されるライブ映像、あるいはディレイ映像は、ネットワークＩ／Ｆ部１１５を経由してＩＰネットワーク１０に出力され配信される。
【００１７】
なお、映像切替え出力部１１４は、ネットワークＩ／Ｆ部１１５経由で送信されてくるセンサー装置１４等からの制御信号であるアラーム入力により、ライブ映像とディレイ映像のいずれか一方、もしくは両方の映像信号を選択出力する。
ところで、ライブ映像とディレイ映像とのタイムシフトに基づく時間差は、監視カメラ装置１１の設定により調整が可能であり、また、その設定範囲は、監視カメラ装置１１内部のディレイ映像生成部１１３の回路構成に依存するものとする。
【００１８】
図３は、図１に示すビューワ装置１２の内部構成を示すブロック図である。図３に示されるように、ビューワ装置１２は、ネットワークインタフェース（Ｉ／Ｆ）部１２１と、表示制御部１２２と、映像切替え制御部１２３と、モニタ画面１２４とで構成される。
【００１９】
監視カメラ装置１１からＩＰネットワーク１０を経由して配信されるライブ映像と、ディレイ映像は、ネットワークＩ／Ｆ部１２１で受信され、表示制御部１２２に出力される。表示制御部１２２は、内蔵のフレームメモリ（不図示）に対し、モニタ画面１２４に表示すべき内容（ライブ映像、ディレイ映像）を書き込むと共に、表示タイミングに同期してその内容を読み出し、モニタ画面１２４に供給するものである。
上記したライブ映像、もしくはディレイ映像は、モニタ画面１２４上に個別に、もしくは同時に表示されるが、その切替えは、映像切替え制御部１２３によってコントロールされる。
【００２０】
すなわち、映像切替え制御部１２３は、ネットワークＩ／Ｆ部１２１を経由して入力されるライブ映像とタイムシフト映像とを、例えば、ＩＰネットワーク１０に接続されるセンサー装置１４から送信されるアラーム入力（アラーム発生検知信号）を受信したことを契機に、切替えて個別に表示する。また、同時に表示することもある。
このため、表示制御部１２は、アラーム入力前後の映像を対比する際のＧＵＩ（Graphical User Interface）向上の一環として、モニタ画面１２４上に、画面分割表示、マルチウインドウ表示、サムネール表示等を行なうための描画機能を備えているものとする。
【００２１】
図４は、本発明の実施の形態１に係るネットワーク映像監視システムの動作を説明するために引用した図であり、詳しくは、監視カメラ装置から配信されるライブ映像とディレイ映像の配信イメージを説明するために引用した図である。図４中、（ａ）は、配信タイミング、（ｂ）は、ライブ映像、（ｃ）は、ディレイ映像のそれぞれを示す。
以下、本発明の実施の形態１に係るネットワーク映像監視システムの動作について、図４を参照しながら詳細に説明する。
【００２２】
監視カメラ装置１１によって生成され、配信されるライブ映像、もしくはディレイ映像に関する映像信号は、ＩＰネットワーク１０を経由してビューワ装置１２で受信され、モニタ画面１２４上に表示される。
図４に示す例では、配信タイミング“４”では、ライブ映像“Ｄ”の配信タイミングで、ディレイ映像として“Ａ”の映像を配信する。また、同様に、配信タイミング“８”では、ライブ映像“Ｈ”の配信タイミングで、ディレイ映像として“Ｅ”の映像を配信する。つまり、ディレイ映像では、既にライブ映像としては配信済みの映像をあらかじめ設定しておいた時間差分だけ過去にタイムシフトして配信することを可能としている。
【００２３】
したがって、監視カメラ装置１１がディレイ映像を配信している場合、ビューワ装置１２は、ＩＰネットワーク１０経由ネットワークＩ／Ｆ部１２１でそのディレイ映像を受信し、表示制御部１２２および映像切替え制御部１２３のコントロールの下で、モニタ画面１２４上に監視カメラ装置１１で設定した時間差分だけライブ映像より以前のディレイ映像を表示することができる。
このことにより、オペレータは、アラーム発生時にモニタ画面１２４を確認することで、アラーム発生前の映像を瞬時に確認することが可能になる。また、アラーム発生時に何が起きたのか、瞬時に状況を把握することができ、アラーム発生時の対応が俊敏に実行可能となる。
【００２４】
一方、監視カメラ装置１１がライブ映像を配信している場合、ビューワ装置１２は、ＩＰネットワーク１０経由ネットワークＩ／Ｆ部１２１でそのライブ映像を受信し、表示制御部１２２および映像切替え制御部１２３のコントロールの下で、モニタ画面１２４上にそのライブ映像を表示している。
アラーム入力時、センサー装置１４からＩＰネットワーク１０経由で制御信号が送信されると、まず、監視カメラ装置１１が映像切替え出力部１１４による制御の下で映像信号をディレイ映像に切替え、ネットワークＩ／Ｆ部１１５、ＩＰネットワーク１０経由で配信を行う。このとき、ビューワ装置１２も同様、ネットワークＩ／Ｆ部１２１、映像切替え制御部１２３による制御の下でディレイ映像の受信に切替え、表示制御部１２２により、モニタ画面１２４上にそのディレイ映像を表示することができる。
【００２５】
このように、監視カメラ装置１１は、従来のように、特に映像の検索等も行なうことなく、単純にディレイ映像へ映像出力を切替えて配信するだけで済むため、ビューワ装置１２のモニタ画面１２４上にアラーム発生前の映像を瞬時に表示することが可能であり、ディレイ映像を配信している場合と同様、アラーム発生時にモニタ画面１２４を確認することで、アラーム発生前の映像を瞬時に確認することが可能になる。
さらに、アラーム入力時に、監視カメラ装置１１により、ライブ映像とディレイ映像とを同時に配信し、ビューワ装置１２のモニタ画面１２４上に同時に表示することにより、アラーム発生時からの映像とライブ映像とを比較しながら、状況を確認することも可能となる。このときサムネール表示が好ましい。
【００２６】
これらは、特に映像信号を記録装置に記録することなく、また、記録した映像を検索、再生することなくアラーム入力前の映像を確認することを可能としている。
【００２７】
以上説明のように本発明は、監視カメラ装置１１の映像出力として、ライブ映像のほかに、過去に所定時間分だけタイムシアトしたディレイ映像を配信するための機能を付加することでアラーム入力前の映像を表示するのに要していた記録装置を不要としたものであり、また、監視カメラ装置１１が配信するディレイ映像をモニタ画面上で監視することで、アラーム入力時にモニタ画面上でアラーム入力前の映像を瞬時に確認することができ、アラーム発生時の対応が俊敏に実行することができる。
さらに、監視カメラ装置１１よる映像をあらかじめ記録装置に記録しておかなくてもアラーム入力前の映像を確認することが可能になる。
【００２８】
なお、上記した本発明の実施の形態１では、センサー装置１４を用いることによりアラーム発生を自動検知し、監視カメラ装置１１、あるいはビューワ装置１２にアラーム入力し、ライブ映像とディレイ映像を切替えることとしたが、センサー装置１４によらず、他のイベント通知のための手段、あるいはモニタ画面を確認しながらオペレータが手動で切替えても同様の効果が得られる。
【００２９】
また、本発明の実施の形態１に係るネットワーク映像監視システムは、専用のハードウェアにより実現される他に、これらシステムを構成する少なくとも一部は、その機能実現のためのプログラムをコンピュータ読み取り可能な記録媒体に記録し、この記録媒体に記録されたプログラムをコンピュータシステムに読み込ませ、実行するものであってもよい。
なお、コンピュータ読み取り可能な記録媒体は、フレキシブルディスク、ハードディスク、光ディスク等の記録媒体の他に、インターネット等の通信媒体を介してプログラムが転送される場合のように、プログラムを動的に保持するもの、あるいは、そのときのサーバが持つ揮発性メモリのように一定時間プログラムを保持するものも含むものとする。
【図面の簡単な説明】
【００３０】
【図１】本発明の実施の形態１に係るネットワークネットワーク映像監視システムのシステム構成の一例を示す図である。
【図２】図１に示す監視カメラ装置の内部構成を示すブロック図である。
【図３】図１に示すビューワ装置の内部構成を示すブロック図である。
【図４】本発明の実施の形態１に係るネットワークネットワーク映像監視システムの動作を説明するために引用した図である。
【符号の説明】
【００３１】
１０  ＩＰネットワーク、１１（１１ａ〜１１ｎ）  監視カメラ装置、１２（１２ａ〜１２ｎ）  ビューワ装置、１３（１３ａ〜１３ｎ）  記録装置、１４  センサー装置、１１１  撮像部、１１２  ライブ映像生成部、１１３  ディレイ映像生成部、１１４  映像切替え出力部、１１５  ネットワークインタフェース（Ｉ／Ｆ）部、１２１  ネットワークインタフェース（Ｉ／Ｆ）部、１２２  表示制御部、１２３  映像切替え制御部、１２４  モニタ画面。
【図１】
2007194937.tif 000003
【図２】
2007194937.tif 000004
【図３】
2007194937.tif 000005
【図４】
2007194937.tif 000006